(57)【要約】【課題】  記録の開始から終了までの全ての発言状況を一覧で表示すると共に、表示の切換えを必要としないで、発言があったと考えられる時間帯を容易に認識及び再生することができる音声記録再生装置を提供する。【解決手段】  入力部と、時計部と、音声記録部と、再生部と、信号レベルを検出する信号レベル検出部と、一定時間帯毎の音声信号の信号レベルの積算値が予め定めた値以上か否かを算出し判別データを出力する信号レベル判別部と、データ記録部と、一定時間帯毎の信号レベルの積算値の大小に応じた表示を予め定めた円の領域を複数の扇形に分割したそれぞれの領域に表示するよう演算処理を行う表示処理部と、表示部と、信号レベルの積算値が大きかった時間帯を示す領域の表示を積算値が小さかった時間帯を示す領域の表示と異なる表示手段で表示するよう表示処理部を制御する制御部とを備える。【選択図】  図１
2006092661.tif 000002
【特許請求の範囲】
【請求項１】
音声信号を入力する入力部と、時刻情報を出力する時計部と、前記入力部が入力した音声信号を記録する音声記録部と、前記音声記録部に記録された音声信号を再生する再生部と、前記入力部が入力した音声信号の信号レベルを検出する信号レベル検出部と、前記信号レベル検出部が検出した信号レベルに基づいて前記入力部へ入力された一定時間帯毎の音声信号の信号レベルの積算値が予め定めた値以上か否かを算出し当該時間帯での信号レベルの積算値の大小に応じた判別データを出力する信号レベル判別部と、前記時計部が出力する時刻情報と共に前記信号レベル判別部が出力した判別データを記録するデータ記録部と、前記データ記録部が記録した判別データと時刻情報に基づいて一定時間帯毎の信号レベルの積算値の大小に応じた表示を予め定めた円の領域を複数の扇形に分割したそれぞれの領域に表示するよう演算処理を行う表示処理部と、前記表示処理部の演算処理に基づいた表示を行う表示部と、前記信号レベル判別部が出力した判別データに基づいて信号レベルの積算値が大きかった時間帯を示す領域の表示を積算値が小さかった時間帯を示す領域の表示と異なる表示手段で表示するよう前記表示処理部を制御する制御部とを備えることを特徴とする音声記録再生装置。
【請求項２】
請求項１記載の音声記録再生装置において、前記表示処理部は、一定時間帯毎の信号レベルの積算値の大小に応じた表示を６０分毎に予め定めた１つの円の領域毎に表示することを特徴とする音声記録再生装置。
【請求項３】
請求項１または請求項２記載の音声記録再生装置において、
前記制御部は、信号レベルの積算値が大きかった時間帯を示す領域の扇形の径を信号レベルの積算値が小さかった時間帯を示す領域の扇形の径より長い径で表示するよう前記表示処理部を制御することを特徴とする音声記録再生装置。
【発明の詳細な説明】
【技術分野】
【０００１】
本発明は、マイクが集音した音声信号を記録する音声記録再生装置に関する。
【背景技術】
【０００２】
従来の音声記録再生装置として、会議などで複数人の会話の音声を記録した後に記録した音声を再生しようとする場合、その会議における発言進行状況を視覚的に表示することにより、目的とする話者の発言内容を瞬時に再生することができる音声記録再生装置がある（例えば、特許文献１参照）。この音声記録再生装置は、各マイク子機から入力された音声信号を音声ファイルとして記憶すると共に、音声信号が入力された時刻を管理ファイルとして記憶し、マイク子機から音声信号が入力された時刻を発言進行状況としてディスプレイに表示する。ユーザーは、ディスプレイに表示された発言進行状況から目的の発言を指示することによって、目的とする話者の発言内容を瞬時に再生することができる。
【０００３】
しかしながら、特許文献１に開示された構成を用いて会議での音声信号を記憶するためには、それぞれの発言者が発言を行う毎にマイクスイッチを切換える必要があり、その切換作業に手間が掛かってしまう。
【０００４】
また、入力された音声信号の信号レベルを検出し、検出した音声レベルの遷移を表示部へ表示することにより、信号レベルの遷移を過去に遡って把握することができる音声レベル表示装置がある（例えば、特許文献２参照）。この音声レベル表示装置は、マイクが集音した音声信号の音声レベルの遷移をメモリに記憶し、音声レベルの波形の時間的変化を表示部へ表示する。使用者は、表示部を目視することによって、マイクが集音した音声レベルの波形の時間的変化を認識することができる。
【０００５】
このように、特許文献１に開示された構成と特許文献２に開示された構成とを組み合わせた音声記録再生装置によって、会議などでの会話の音声を記録した場合、音声レベルの表示によって、会議内で発言が行われた時間帯と発言が行われなかった時間帯とを認識することができる。
【０００６】
【特許文献１】特開２００３−１２２３９７号公報
【特許文献２】特開平９−２４７０５３号公報
【発明の開示】
【発明が解決しようとする課題】
【０００７】
会議の行われる時間は、会議の種類や内容によって異なり、例えば、会議時間が数時間にも及ぶ場合がある。
【０００８】
特許文献１に開示された構成を備えた音声記録再生装置は、音声信号の記録を開始した時点から終了した時点までの時間軸を示す時間軸目盛をディスプレイに表示し、マイクの使用開始時点からの経過時間を時間軸目盛に沿って表示する。このため、音声信号の記録を開始した時点から終了した時点までを全てディスプレイに表示させようとする場合、ディスプレイの面積による制約のため、音声信号の記録時間が長くなるのに伴って、ディスプレイに表示する時間軸目盛の幅を小さくする必要がある。例えば、５分毎の時間軸目盛をディスプレイに表示させる場合、記録時間が２０分の場合は、時間軸目盛の右端から左端までを１０等分したそれぞれの幅が５分毎の時間軸の幅となるが、記録時間が３時間（１８０分）に及ぶ場合は、時間軸目盛の右端から左端までを９０等分したそれぞれの幅が５分毎の時間軸の幅となり、記録時間が２０分である場合と比較して５分毎の時間軸の幅が小さくなってしまう。このため、記録時間が１８０分に及ぶ場合は、ディスプレイを目視しても、マイクが使用された時間帯とマイクが使用されなかった時間帯とを判別することが困難となる。また、ディスプレイに表示されている時間軸目盛の中から目的の箇所を再生させようとしても、５分毎の時間軸目盛の幅が小さいことにより、目的の箇所を再生することが困難となり、隣接した時間軸の箇所を間違えて再生してしまうことがある。
【０００９】
特許文献２に開示された構成を備えた音声記録再生装置は、時間軸目盛をスライドさせて表示することができる構成であることから、一定時間毎の時間軸目盛の幅を大きく表示することができる。しかしながら、この構成によって、例えば、長時間に亘って行われた会議の全ての時間帯の発言状況を確認しようとすると、表示させる時間帯の時間軸目盛を変更するためのスライド作業を繰り返す必要があるため、このスライド作業が煩わしい。
【００１０】
特許文献１及び特許文献２に開示された構成を備えた音声記録再生装置は、音声信号の記録を開始した時点から終了した時点までの時間軸を示す時間軸目盛をディスプレイへ表示し、マイクの使用開始時点からの経過時間を水平方向に表示された時間軸目盛に沿って表示する。このため、例えば、６０分間の会議の発言内容の記録を行った場合、会議の開始から終了までの間で発言が行われた割合がどの程度であったかを認識したいと所望しても、水平方向に表示された時間軸目盛に沿って発言進行状況が表示されるため、会議の開始から終了までの間で発言が行われた割合を容易に認識することが困難となる。
【００１１】
本発明は、マイクが集音した音声信号を記録する音声記録再生装置において、記録の開始から終了までの全ての発言状況を一覧で表示すると共に、表示の切換えを必要としないで、発言があったと考えられる時間帯を容易に認識及び再生することができる音声記録再生装置を提供することを目的とする。
【課題を解決するための手段】
【００１２】
本願の請求項１記載の発明は、音声記録再生装置において、音声信号を入力する入力部と、時刻情報を出力する時計部と、前記入力部が入力した音声信号を記録する音声記録部と、前記音声記録部に記録された音声信号を再生する再生部と、前記入力部が入力した音声信号の信号レベルを検出する信号レベル検出部と、前記信号レベル検出部が検出した信号レベルに基づいて前記入力部へ入力された一定時間帯毎の音声信号の信号レベルの積算値が予め定めた値以上か否かを算出し当該時間帯での信号レベルの積算値の大小に応じた判別データを出力する信号レベル判別部と、前記時計部が出力する時刻情報と共に前記信号レベル判別部が出力した判別データを記録するデータ記録部と、前記データ記録部が記録した判別データと時刻情報に基づいて一定時間帯毎の信号レベルの積算値の大小に応じた表示を予め定めた円の領域を複数の扇形に分割したそれぞれの領域に表示するよう演算処理を行う表示処理部と、前記表示処理部の演算処理に基づいた表示を行う表示部と、前記信号レベル判別部が出力した判別データに基づいて信号レベルの積算値が大きかった時間帯を示す領域の表示を積算値が小さかった時間帯を示す領域の表示と異なる表示手段で表示するよう前記表示処理部を制御する制御部とを備えることを特徴とする。
【００１３】
本願の請求項２記載の発明は、請求項１記載の音声記録再生装置において、前記表示処理部は、一定時間帯毎の信号レベルの積算値の大小に応じた表示を６０分毎に予め定めた１つの円の領域毎に表示することを特徴とする。
【００１４】
本願の請求項３記載の発明は、請求項１または請求項２記載の音声記録再生装置において、前記制御部は、信号レベルの積算値が大きかった時間帯を示す領域の扇形の径を信号レベルの積算値が小さかった時間帯を示す領域の扇形の径より長い径で表示するよう前記表示処理部を制御することを特徴とする。
【発明の効果】
【００１５】
本発明の音声記録再生装置によれば、マイクが集音した音声信号を記録する音声記録再生装置において、記録の開始から終了までの全ての発言状況を一覧で表示すると共に、表示の切換えを必要としないで、発言があったと考えられる時間帯を容易に認識及び再生することができる音声記録再生装置を提供することができる。
【００１６】
また、本発明の音声記録再生装置によれば、音声信号の記録を開始してから終了までの間で発言が行われた割合がどの程度であったかを容易に認識することができる。
【００１７】
また、本発明の音声記録再生装置によれば、音声信号の記録を開始してからの経過時間に伴う発言の状況を、アナログ時計を目視するのと同様の感覚で容易に認識することができる。
【発明を実施するための最良の形態】
【００１８】
以下、本発明の実施の形態を図面に基づいて説明する。
図１は、本発明の音声記録再生装置の一実施例を示すブロック図である。
音声記録再生装置２０は、第１の入力部１、第２の入力部２、第３の入力部３、信号処理部４、時計部５、制御部６、音声記録部７、信号レベル検出部８、信号レベル判別部９、データ記録部１０、再生部１１、出力部１２、操作部１３、表示部１４及び表示処理部１６を備える。第１の入力部１、第２の入力部２及び第３の入力部３は、それぞれ第１のマイク２１、第２のマイク２２及び第３のマイク２３に接続されている。出力部１２は、スピーカ１５に接続されている。
【００１９】
第１の入力部１、第２の入力部２及び第３の入力部３は、それぞれ第１のマイク２１、第２のマイク２２及び第３のマイク２３からの音声信号の出力を受け、信号処理部４へ出力する。信号処理部４は、第１の入力部１、第２の入力部２及び第３の入力部３から入力された音声信号を１の音声信号に合成する処理を行ない、当該合成した音声信号を制御部６及び信号レベル検出部８へ出力する。
【００２０】
操作部１３は、音声信号の記録を開始する記録開始指示信号及び音声信号の記録の停止を指示する記録停止指示信号を出力する。制御部６は、操作部１３から記録開始指示信号が出力されると、信号処理部４から出力された音声信号を音声記録部７へ記録し、操作部１３から記録停止指示信号が出力されると、音声記録部７への音声信号の記録を停止するよう制御する。音声記録部７は、ハードディスクドライブ（Hard Disk Drive：ＨＤＤ）からなり、制御部６の制御により、信号処理部４から出力された音声信号を記録する。
【００２１】
信号レベル検出部８は、信号処理部４から出力された音声信号の信号レベルを検出する。時計部５は、時刻の情報を出力する。信号レベル判別部９は、信号レベル検出部８が検出した信号レベルに基づいて、予め定めた時間、例えば、２分間に検出した信号レベルの積算値を算出する。信号レベル判別部９は、信号レベルの積算値が予め定めた第１の値未満である場合、第１の判別データを出力する。信号レベル判別部９は、信号レベルの積算値が予め定めた第１の値以上かつ第２の値未満である場合、第２の判別データを出力する。信号レベル判別部９は、信号レベルの積算値が予め定めた第２の値以上である場合、第３の判別データを出力する。制御部６は、信号レベル判別部９が出力した第１の判別データ、第２の判別データ及び第３の判別データを５分毎にデータ記録部１０が記録するよう制御する。
【００２２】
データ記録部１０は、ハードディスクドライブを備え、時計部５が出力した時刻情報に基づいて、音声信号の記録を開始した記録開始時刻データ、音声信号の記録を停止した記録終了時刻データ及び記録開始時刻と記録終了時刻から算出した記録時間データを記録する。データ記録部１０は、制御部６の制御により、信号レベル判別部９が出力した第１の判別データ、第２の判別データ及び第３の判別データを記録する。
【００２３】
表示処理部１６は、データ記録部１０に記録されている記録開始時刻データ、記録終了時刻データ及び記録時間データと第１の判別データ、第２の判別データ及び第３の判別データに基づいて、表示部１４が音声信号の記録開始時刻、記録終了時刻及び記録時間を表示するようデータを処理する。
【００２４】
表示処理部１６は、データ記録部１０に記録されている第１の判別データ、第２の判別データ及び第３の判別データに基づいて、表示部１４が音声信号の記録を開始した時点から記録を終了した時点までの５分毎の発言の状況を６０分毎に予め定めた円の領域に分割して表示するよう処理する。例えば、音声信号の記録が６０分である場合は、１つの円をそれぞれ３０°の扇形から成る１２個の領域に分割し、分割したそれぞれの領域へ５分毎の発言の状況を時計回りに順に表示するよう処理する。また、音声信号の記録が９０分である場合は、音声信号の記録の開始から６０分間までを１つの円をそれぞれ３０°の扇形から成る１２個の領域に分割し、分割したそれぞれの領域へ５分毎の発言の状況を時計回りに順に表示すると共に、残りの３０分間を他の円の１８０°の領域をそれぞれ３０°の扇形から成る６個の領域に分割し、６個の扇形からなる半円に分割したそれぞれの領域へ５分毎の発言の状況を時計回りに順に表示する。
【００２５】
制御部６は、信号レベル判別部９が出力した判別データに基づいて、第２の判別データ及び第３の判別データに該当する時間帯の扇形の径の長さを第１の判別データに該当する時間帯の扇形の径より長く、例えば、第１の判別データに該当する時間帯の１．２倍の長さで表示するよう表示処理部１６を制御する。表示部１４は、制御部６の制御により、表示処理部１６の処理に基づいた表示をする。
【００２６】
本実施例の音声記録再生装置は、音声信号の記録を開始した時点から記録を終了した時点までの５分毎の発言の状況を分割して表示する構成としたが、５分毎の発言の状況を分割して表示することに限定されず、例えば、３０秒毎、１分毎または１０分毎などのように発言の状況を分割して表示する構成としても良い。また、本実施例の音声記録再生装置は、音声信号の記録を開始した発言の状況を６０分毎に予め定めた円の領域に分割して表示する構成としたが、６０分毎に１つの円の領域に表示することに限定されず、例えば、音声信号の記録の開始から終了までを１つの円の領域に表示する構成としても良い。
【００２７】
図２は、表示部１４による表示状態を示す模式図で、図２（ａ）は記録時間が４５分の会議内容を記録した場合を示す図、図２（ｂ）は記録時間が１時間３０分（９０分）の会議内容を記録した場合を示す図である。
【００２８】
図２（ａ）及び図２（ｂ）に示すように、表示部１４は、表示処理部１６の処理に基づいて、記録開始時刻表示１４１、記録終了時刻表示１４２及び記録時間表示１４３を表示する。表示部１４は、記録状況表示窓１４４を備える。
【００２９】
記録状況表示窓１４４には、記録の開始から停止までの発言を６０分毎に１つの円で表示する時間帯表示部５００と、再生指示カーソル１４６を備える。時間帯表示部５００は、上端に目印６０を備え、その円の領域内にそれぞれ３０°の扇形を成す１２個の状況表示エリアを備える。時間帯表示部５００は、表示処理部１７の処理に基づいて、目印６０を基点としたそれぞれの状況表示エリアへ５分毎の発言の状況を時計回りに順に表示する。例えば、図２（ａ）に示すように、記録時間が４５分の場合は、時間帯表示部５００の領域内に目印６０を基点として時計回りに表示された状況表示エリア５０１〜５０９の９個の状況表示エリアを表示し、それぞれの状況表示エリアへ５分毎の発言の状況を時計回りに順に表示する。また、図２（ｂ）に示すように、記録時間が１時間３０分（９０分）の場合は、時間帯表示部５００ａの領域内に目印６０を基点として時計回りに表示された状況表示エリア５０１〜５１２ｍの１２個の状況表示エリアを表示し、それぞれの状況表示エリアへ記録を開始してから６０分間までの５分毎の発言の状況を時計回りに順に表示し、時間帯表示部５００ｂの領域内に目印６０を基点として時計回りに表示された状況表示エリア５１３〜５１８の６個の状況表示エリアを表示し、それぞれの状況表示エリアへ残りの３０分間の５分毎の発言の状況を時計回りに順に表示する。
【００３０】
時間帯表示部５００は、分割したそれぞれの状況表示エリアに非発言表示５０、第１の発言表示５１及び第２の発言表示５２を表示する。即ち、データ記録部１０に記録された５分毎の判別データが第１の判別データの場合は、該当する状況表示エリアに、例えば、白色の非発言表示５０を表示し、第２の判別データの場合は、該当する状況表示エリアに、例えば、青色の第１の発言表示５１を表示し、第３の判別データの場合は、該当する状況表示エリアに、例えば、赤色の第２の発言表示５２を表示する。このとき、時間帯表示部５００は、制御部６の制御により、信号レベル判別部９が出力した第２の判別データ及び第３の判別データに該当する時間帯の扇形の径の長さを第１の判別データに該当する時間帯の扇形の径の１．２倍の長さで表示する。例えば、図２（ａ）に示すように、記録時間が４５分であり、状況表示エリア５０２が第２の判別データに該当し、状況表示エリア５０７が第３の判別データに該当する場合は、時間帯表示部５００を状況表示エリア５０１〜５０９の９の状況表示エリアに分割した上で、状況表示エリア５０２と状況表示エリア５０７の扇形の径の長さをその他の状況表示エリアの１．２倍の長さで表示する。
【００３１】
操作部１３は、再生指示カーソル１４６の移動を指示する移動指示信号と音声信号の再生を開始する再生開始指示信号を出力する。再生指示カーソル１４６は、操作部１３の操作により、時間帯表示部５００に外周に沿って自在に移動する。
【００３２】
制御部６は、操作部１３から再生開始指示信号が出力されると、再生指示カーソル１４６が近接した状況表示エリアに該当する時間帯の音声信号を再生するよう再生部１１を制御する。再生部１１は、制御部６００の制御により、音声記録部７に記録された音声信号の中から再生指示カーソル１４６に近接した状況表示エリアに該当する時間帯の音声信号を再生する。出力部１２は、再生部１１により再生された音声信号をスピーカ１５へ出力する。スピーカ１５は、再生部１１により出力された音声信号を音声として出力する。
【００３３】
図３は、表示部１４による表示状態を示す模式図で、記録時間が３時間５０分（２３０分）の会議内容を記録した場合を示す図である。
図３に示すように、記録時間が２３０分の場合において、状況表示エリア５０２が第２の判別データに該当し状況表示エリア５４４が第３の判別データに該当する場合、時間帯表示部５００ａを状況表示エリア５０１〜５１２の１２個の状況表示エリアに分割し、時間帯表示部５００ｂを状況表示エリア５１３〜５２４の１２個の状況表示エリアに分割し、時間帯表示部５００ｃを状況表示エリア５２５〜５３６の１２個の状況表示エリアに分割し、時間帯表示部５００ｄを状況表示エリア５３７〜５４６の１０個の状況表示エリアに分割する。そして、第１の発言表示５１を示す状況表示エリア５０２と第２の発言表示５２を示す状況表示エリア５４４の扇形の径の長さを、非発言表示５０を示すその他の状況表示エリアの径の長さの１．２倍の長さで表示する。
【００３４】
このように、状況表示エリア５０２と状況表示エリア５０６の扇形の径の長さをその他の状況表示エリアの１．２倍の長さで表示することにより、記録時間が３時間５０分（２３０分）に及ぶ場合でも、第１の発言表示５１を示す状況表示エリア５０２と第２の発言表示５２を示す状況表示エリア５０４の扇形の径をその他の状況表示エリアの扇形の径より長い径で表示する。これにより、使用者が記録状況表示窓１４４を目視した場合、発言が活発に行われた時間帯を容易に判別することできる。また、第１の発言表示５１及び第２の発言表示５２の時間帯の状況表示エリアが大きく表示されることにより、発言が行われた時間帯に該当する状況表示エリアへ再生指示カーソル１４６を容易に近接させることができるので、隣接した状況表示エリアを間違えて選択してしまうことを防止し、発言が行われた時間帯を容易に再生することができる。
【００３５】
以上の構成により、本実施例の音声記録再生装置２０は、会議が長時間におよび、音声信号の記録時間が長くなっても、時間帯表示部５００を目視することで、それぞれの時間帯毎の発言状況を把握し、発言が活発に行われた時間帯を容易に再生させることができる。
【００３６】
本実施例の音声記録再生装置２０は、音声信号の記録を開始した時点から記録を終了した時点までの全ての時間帯の発言状況を一度に時間帯表示部５００へ表示する。これにより、例えば、重要な会議の発言状況を記録し、信号レベル判別部９によって発言が行われていないと判別された時間帯においても、その時間帯の発言内容を再生することができる。よって、例えば、発言が行われたと判別された時間帯のみの音声信号を記録する音声記録再生装置のように、一定の信号レベル以下の小さな音声で重要な発言がされたのにも拘らず、発言がなかったと判別された時間帯を再生させることができなくなることを防止することができる。また、長時間に亘って行われた会議を記録した後に会議の発言内容を全て確認しようとする場合、全ての発言状況表示と特定時間の発言状況表示とを切り換えて表示する切換表示機能を備える音声記録再生装置のように、全ての発言状況表示と特定時間の発言状況表示とを頻繁に切り換える作業が不要となり、記録内容の確認を容易に行うことができる。
【００３７】
本実施例の音声記録再生装置２０は、表示部１４が音声信号の記録を開始した時点から記録を終了した時点までの発言の状況を６０分毎に１つの円から成る時間帯表示部５００のそれぞれの領域に分割して表示することにより、音声信号の記録を開始してから終了までの間で発言が行われた割合がどの程度であったかを容易に認識することができる。例えば、１１時００分から１２時００分までの６０分間に亘る会議の発言内容が記録され、その会議の内、１１時１５分から１１時３０分までの１５分間に発言が行われた場合、１つの円の領域に表示された時間帯表示部５００を目視することにより、会議の開始から終了までの間で発言が行われた割合が２５％程度であったことを容易に認識することができる。
【００３８】
本実施例の音声記録再生装置２０は、表示部１４が音声信号の記録を開始した時点から記録を終了した時点までの５分毎の発言の状況を６０分毎に１つの円から成る時間帯表示部５００のそれぞれの領域に分割して表示することにより、音声信号の記録を開始してからの経過時間に伴う発言の状況を、アナログ時計を目視するのと同様の感覚で容易に認識することができる。つまり、アナログ時計は、５分経過する毎に長針が３０°回転し、長針が１回転（３６０°回転）することによって６０分が経過したことを示し、本実施例の時間帯表示部５００は、５分毎の発言の状況を３０°の扇形から成る１２個の領域に表示し、１つの円の領域に６０分間の発言の状況を表示する。したがって、発言が行われたのが何分間程度であったのかをユーザが認識したいと所望した場合、時間帯表示部５００の表示を目視することによって、発言が行われたのが何分間程度であったのかをアナログ時計を目視するのと同様の感覚で容易に認識することができる。例えば、図３に示すように、３時間５０分間（２３０分間）に亘る会議の発言内容が記録された場合、時間帯表示部５００をアナログ時計の表示と同様の感覚で目視することにより、第１の発言表示５１と第２の発言表示５２が表示されている時間帯が合計で２個であることから、発言が行われた時間帯が１０分間程度であったことを容易に認識することができる。また、第１の発言表示５１が表示されている状況表示エリア５０２の時間帯から第２の発言表示５２が表示されている状況表示エリア５４４の時間帯までの間を示す時間帯表示部５００ｂ及び５００ｃの各状況表示エリアが全て非発言表示５０であることから、会議の途中で２時間（１２０分間）以上発言がなかったことを容易に認識することができる。
【００３９】
本実施例の音声記録再生装置２０は、第１の入力部１、第２の入力部２及び第３の入力部３の３つの入力部を備える構成としたが、１〜２つの入力部または４つ以上の入力部を備える構成としても良い。
【００４０】
本実施例の音声記録再生装置２０は、第１の発言表示５１および第２の発言表示５２を示す状況表示エリアの扇形の径の長さを、非発言表示５０を示す状況表示エリアの１．２倍の長さで表示する構成としたが、例えば、別の倍率の長さで表示する構成としても良い。また、操作部１３に表示倍率設定部を備え、使用者が操作することによって、非発言表示５０を示す状況表示エリアに対する第１の発言表示５１および第２の発言表示５２を示す状況表示エリアの倍率を任意に設定可能とする構成としても良い。これにより、音声信号の記録時間に応じて使用者が認識しやすい表示とすることができる。また、記録時間に応じて、非発言表示５０を示す状況表示エリアに対する第１の発言表示５１および第２の発言表示５２を示す状況表示エリアの扇形の径の長さを自動的に変更させるよう制御部が制御する構成としても良い。例えば、記録時間が６０分以下の場合は、第１の発言表示５１および第２の発言表示５２を示す状況表示エリアの扇形の径を、非発言表示５０を示す状況表示エリアの径の１．１倍の長さで表示し、記録時間が６１分以上２４０分以下の場合は１．２倍の長さで表示し、更に記録時間が２４１分以上の場合は１．５倍の長さで表示する構成とする。このことによって、記録時間が長くなるのに伴い、第１の発言表示５１及び第２の発言表示５２を示す状況表示エリアが小さくなってしまうのを防止することができる。
【００４１】
本実施例の音声記録再生装置２０は、第１の発言表示５１および第２の発言表示５２を示す状況表示エリアの扇形の径を、非発言表示５０を示す状況表示エリアの１．２倍の長さで表示する構成としたが、例えば、第１の発言表示５１を示す状況表示エリアの扇形の径を、非発言表示５０を示す状況表示エリアの１．２倍の長さで表示し、第２の発言表示５２を示す状況表示エリアの扇形の径を、非発言表示５０を示す状況表示エリアの１．５倍の長さで表示する構成としても良い。これにより、第１の発言表示５１を示す状況表示エリアより更に活発な発言があった時間帯である第２の発言表示５２を示す状況表示エリア５０１を更に正確に認識することができる。
【図面の簡単な説明】
【００４２】
【図１】本発明の音声記録再生装置の一実施例を示すブロック図。
【図２】表示部１４による表示状態を示す模式図で、図２（ａ）は記録時間が４５分の会議内容を記録した場合を示す図、図２（ｂ）は記録時間が１時間３０分（９０分）の会議内容を記録した場合を示す図。
【図３】表示部１４による表示状態を示す模式図で、記録時間が３時間５０分（２３０分）の会議内容を記録した場合を示す図。
【符号の説明】
【００４３】
１  第１の入力部、２  第２の入力部、３  第３の入力部、４  信号処理部、
５  時計部、６  制御部、７  音声記録部、８  信号レベル検出部、
９  信号レベル判別部、１０  データ記録部、１１  再生部、１２  出力部、
１３  操作部、１４  表示部、１５  スピーカ、１６  表示処理部、
２０  音声記録再生装置、
２１  第１のマイク、２２  第２のマイク、２３  第３のマイク、
１４１  記録開始時刻表示、１４２  記録終了時刻表示、１４３  記録時間表示、
１４４  記録状況表示窓、１４６  再生指示カーソル、
５０  非発言表示、５１  第１の発言表示、５２  第２の発言表示、
５００  時間帯表示部、５０１〜５９０  状況表示エリア、６０  目印
【図１】
2006092661.tif 000003
【図２】
2006092661.tif 000004
【図３】
2006092661.tif 000005